(57)【特許請求の範囲】
【請求項１】
注射デバイスの使用に関する情報を記録する装置であって：
選択されている薬剤の用量を示す注射デバイスにより表示されている情報の画像を取り込むよう構成された光センサと；
該光センサから取り込まれた画像を受け取り、該取り込まれた画像から１つまたはそれ以上の文字を認識して用量情報を決定し、該用量情報を画像ファイルに変換するように構成されたプロセッサと；
前記用量情報をメモリから取り出し画像として表示できるように、前記画像ファイルを記憶するように構成されたメモリと
を含む前記装置。
【請求項２】
装置は補助デバイスであり、該補助デバイスは前記注射デバイスと連結するための部材を備える、請求項１に記載の装置。
【請求項３】
前記注射デバイスの一体化部分である、請求項１に記載の装置。
【請求項４】
メモリは、前記画像ファイルを不可逆画像形式で記憶するように構成される、請求項１〜３のいずれか１項に記載の装置。
【請求項５】
メモリは、前記画像ファイルをラスタ形式、ベクトル形式、複合形式またはステレオ形式で記憶するように構成される、請求項１〜４のいずれか１項に記載の装置。
【請求項６】
メモリは、前記画像ファイルをＪＰＥＧ形式で記憶するように構成される、請求項１〜５のいずれか１項に記載の装置。
【請求項７】
前記画像ファイルを遠隔のデバイスに無線で送信する送信器をさらに含む、請求項１〜６のいずれか１項に記載の装置。
【請求項８】
メモリは、前記装置から着脱可能である記憶デバイスを含む、請求項１〜７のいずれか
１項に記載の装置。
【請求項９】
記憶デバイスを受けるためのインタフェースをさらに含む、請求項８に記載の装置。
【請求項１０】
メモリは、前記装置から着脱可能ではない別の記憶デバイスを含む、請求項８または９に記載の装置。
【請求項１１】
プロセッサは、前記記憶デバイスのうちの一方の記憶デバイスからもう一方へ情報をコピーするように構成される、請求項１０に記載の装置。
【請求項１２】
プロセッサに前記記憶デバイスのうちの一方の記憶デバイスからもう一方へ情報をコピーさせるように操作することができる、１つまたはそれ以上のユーザインタフェース機能をさらに含む、請求項１１に記載の装置。
【請求項１３】
前記装置から着脱可能である記憶デバイスは、そこに記憶された画像ファイルをデジタルカメラ、コンピュータ、携帯電話、テレビ受信機、および電子写真フレームのうちの少なくとも１つによって読み取ることができるように構成される、請求項８〜１２のいずれか１項に記載の装置。
【請求項１４】
前記装置から着脱可能である記憶デバイスには、ＳＤカード、ＸＤカードまたはＵＳＢメモリスティックが含まれる、請求項１３に記載の装置。
【請求項１５】
前記画像ファイルは、注射デバイスから用量が排出されたときの時刻、および／またはＢＧＭ読取値を示す画像を表す、請求項１〜１４のいずれか１項に記載の装置。
【発明の詳細な説明】
【技術分野】
【０００１】
本発明は、注射デバイスの使用に関する情報を記録するための装置に関し、詳細には、それだけには限らないが、インスリンなどの薬剤を注射するために使用される注射デバイスの使用に関する情報を記録するための装置に関する。
【背景技術】
【０００２】
薬剤の注射による規則的な治療を必要とする様々な疾患が存在する。このような注射は、医療要員または患者自身が行うことができる。一例として、１型および２型の糖尿病は、１日に１回または数回、患者自身がインスリン用量を注射することによって治療することができる。投与される用量についての情報を記録するための補助デバイスをインスリン注射デバイスに連結することが知られている。補助デバイスを使用して、インスリンが投与される様々な時刻、およびこのような時刻それぞれに投与されるインスリンの量についての情報を記録することができる。
【０００３】
一部の補助デバイスには、以前に投与された用量についての情報を表示することができない（または少なくとも、デバイスが記録する情報のすべてを表示しない）ものがある。その代わりに、人がいつでもアクセスできるとは限らないコンピュータ上で、メーカ独自のソフトウェアを使用して、用量履歴情報にアクセスすることしかできない。したがって、人が将来の用量を、以前に投与された用量に関する情報に基づいて投与できない状況が生じる可能性がある。特に、使用者が、どれだけのインスリンが以前に投与されたか、また最後の注射がいつ行われたかを忘れた場合、使用者は、自分の次のインスリン用量の適切な時刻と、注射予定のインスリンの量とを推定する必要があり、これはきわめて望ましくない。
【０００４】
本発明の態様は、上記を念頭において考えられた。
【発明の概要】
【課題を解決するための手段】
【０００５】
本発明の態様によれば、注射デバイスの使用に関する情報を記録する装置が提供され、この装置は：注射デバイスがどのように使用されるかを示す情報を提供する１つまたはそれ以上のセンサと；１つまたはそれ以上のセンサによって検出された前記情報を解析し、注射デバイスがどのように使用されるかに対応する使用情報を決定するように構成されたプロセッサと；前記使用情報をメモリから取り出し画像中に表示できるように、前記使用情報を画像形式で記憶するメモリとを含む。
【０００６】
有利なことに、これにより、画像を表示できるデバイスが、メーカ独自のソフトウェアを記憶しているコンピュータよりも、注射デバイスの使用に関するデータを解析するにも表示するにも所与の時間でアクセスできるようになる可能性が高いので、使用情報にアクセスできる容易さが改善する。
【０００７】
装置は補助デバイスとすることができ、この補助デバイスは前記注射デバイスと連結するための部材を備え、１つまたはそれ以上のセンサは、注射デバイスによって表示または生成される情報を検出するためのものとすることができる。
【０００８】
有利なことに、これにより装置を既存の注射デバイスと組み合わせて使用することが可能になる。
【０００９】
装置は前記注射デバイスの一体化部分とすることができる。
【００１０】
有利なことに、これにより、機能が向上した注射デバイスが提供される。
【００１１】
メモリは、前記使用情報を不可逆画像形式で記憶するように構成することができる。メモリは、前記使用情報をラスタ形式、ベクトル形式、複合形式またはステレオ形式で記憶するように構成することができる。メモリは、前記使用情報をＪＰＥＧ形式で記憶するように構成することができる。
【００１２】
装置は、前記使用情報を遠隔のデバイスに無線で送信する送信器をさらに含むことができる。
【００１３】
メモリは、前記装置から着脱可能である記憶デバイスを含むことができる。
【００１４】
装置は、記憶デバイスを受けるためのインタフェースをさらに含むことができる。
【００１５】
メモリは、前記装置から着脱可能ではない別の記憶デバイスを含むことができる。
【００１６】
プロセッサは、前記記憶デバイスのうちの一方の記憶デバイスからもう一方へ情報をコピーするように構成することができる。
【００１７】
装置は、プロセッサに前記記憶デバイスのうちの一方の記憶デバイスからもう一方へ情報をコピーさせるように操作することができる、１つまたはそれ以上のユーザインタフェース機能をさらに含むことができる。
【００１８】
前記装置から着脱可能である記憶デバイスは、そこに記憶された使用情報をデジタルカメラ、コンピュータ、携帯電話、テレビ受信機、および電子写真フレームのうちの少なくとも１つによって読み取ることができるように構成することができる。
【００１９】
前記装置から着脱可能である記憶デバイスには、ＳＤカード、ＸＤカードまたはＵＳＢメモリスティックが含まれ得る。
【００２０】
前記使用情報は、注射デバイスから排出された用量の分量、注射デバイスから用量が排出されたときの時刻、および／またはＢＧＭ読取値に関連し得る。
【００２１】
次に本発明の実施形態を例示的にのみ、添付の図面を参照して説明する。
【図面の簡単な説明】
【００２２】
【図１】従来技術の注射デバイス１の分解組立図である。
【図２】図１のデバイスの端部の斜視図である。
【図３】補助デバイス２の概略図である。
【図４】補助デバイス２の一実施形態の斜視図である。
【図５】補助デバイス２の別の実施形態の斜視図である。
【図６】注射デバイス１に連結された図４または図５の補助デバイス２の内部概略図である。
【図７】注射デバイス１に連結される別の補助デバイスの斜視図である。
【図８】図４、図５および図７のいずれかの補助デバイスによって生成された用量情報を表す画像の図である。
【図９】コンピュータに表示される用量情報画像ファイルのうちの選択されたものを示す図である。
【発明を実施するための形態】
【００２３】
以下では、本発明の実施形態についてインスリン注射デバイスに関して説明する。しかし、本発明はこのような用途に限定されず、他の薬剤を排出する注射デバイス、または他のタイプの医療デバイスにも同様に適切に展開することができる。
【００２４】
図１は、例えばＳａｎｏｆｉのＳｏｌｏｓｔａｒ（登録商標）インスリン注射ペンであってよい、注射デバイス１の分解組立図である。
【００２５】
図１の注射デバイス１は充填済み使い捨て注射ペンであり、ハウジング１０を備えており、針１５を付けることができるインスリン容器１４を含む。針は、内側針キャップ１６および外側針キャップ１７によって保護され、外側針キャップはキャップ１８によって覆うことができる。注射デバイス１から排出予定のインスリン用量は、投与量つまみ１２を回すことによって選択することができ、次に、選択用量は、例えば、いわゆる国際単位（ＩＵ）の倍数として投与量窓１３を介して表示される。ここで１ＩＵは、約４５．５マイクログラムの純粋結晶のインスリン（１／２２ｍｇ）の生物学的等量物である。投与量窓１３に表示される選択用量の一例では、図１に示されるように、３０ＩＵとすることができる。選択用量は、様々に（例えば電子表示装置によって）同様に適切に表示できることに留意されたい。
【００２６】
投与量つまみ１２を回すことにより機械的なクリック音が生じて、音響フィードバックが使用者にもたらされる。投与量窓１３に表示された数字はスリーブ上に印刷されており、このスリーブは、ハウジング１０内に収容され、インスリン容器１４の中のピストンと機械的に相互作用する。針１５が患者の皮膚部分に突き刺されると、次に注射ボタン１１が押され、表示窓１３に表示されたインスリン用量が注射デバイス１から排出される。注射ボタン１１が押された後に注射デバイス１の針１５が皮膚部分に一定の時間とどまっているときに、用量の大きい割合が患者の体の中に実際に注射される。インスリン用量の排出もまた機械的なクリック音を生じさせるが、この音は、投与量つまみ１２を使用するときに生成される音とは異なる。
【００２７】
注射デバイス１は、インスリン容器１４が空になるか、または注射デバイス１の有効期限（例えば、最初の使用から２８日後）に達するまで、数回の注射処置に使用することができる。
【００２８】
さらに、注射デバイス１を初めて使用する前に、インスリン容器１４および針１５から空気を除去するためのいわゆる最初の注射を実施する必要があり得る。これは、２単位のインスリンを選択し、注射デバイス１を針１５が上に向いている状態で保持しながら注射ボタン１１を押すことによって実現することができる。
【００２９】
説明を簡単にするために、以下では、例えば次に注射予定の用量の提案をするとき、この用量が、注射デバイスによって注射されなければならない用量と等しくなるように、排出される用量は注射される用量と実質的に一致すると例示的に仮定する。しかしながら、排出用量と注射用量の差異（例えば、損失）は、もちろん考慮に入れることができる。
【００３０】
図３は、例えば図１に表されたもののような注射デバイスに解放可能に取り付けることができる、補助デバイス２の概略図である。しかし、補助デバイス２は、他のタイプの注射デバイスと連結し一緒に使用できること、および異なる薬剤を投与するのに使用できることが想定されている。
【００３１】
補助デバイス２は、注射デバイスのハウジング１０を取り巻くための嵌合ユニット２０−１、２０−２を備えるハウジング２０を含む。具体的には嵌合ユニット２０−１、２０−２は、注射デバイス１のハウジング１０の上に、デバイス２を後でハウジングから取り外すことができるようにしてスナップ嵌めするように構成することができる。しかし、嵌合ユニットはスナップ嵌め型である必要はなく、別法としてストラップなどの他の配置が、補助デバイス２を注射デバイス１に連結するのに適し得る。
【００３２】
注射デバイス１に連結されたとき、補助デバイス２は、（図６にあるような）用量窓１３を遮ることになり得る。このように使用されるよう構成された補助デバイス２は、１つまたはそれ以上のセンサ（例えば、注射デバイス１から情報を集める光および／または音響センサ２５、２７）を含む。具体的には光センサ２５は、用量窓１３に表示される情報を集める。このような集められた情報は次に、補助デバイス２に設けられた表示ユニット２１で表示される。
【００３３】
補助デバイス２はさらに、図３に単一のボタン２２として概略的に示された、使用者入力を受けるための１つまたはそれ以上の変換器を含むが、図４および図６に示されるように、代わりに複数のボタンが設けられてもよい。このような入力変換器を使用して、とりわけ、補助デバイス２をオン／オフする、動作をトリガする（これには、補助デバイス２に他のデバイスと対にならせること、または他のデバイスとの接続を確立させること、および／またはデバイス２に情報を他のデバイスへ送信させることが含まれ得る）、または何かを確認することができる。
【００３４】
図４は、想定された一実施形態による補助デバイス２の斜視図を示す。デバイス２は、嵌合ユニット（図示せず）を介して注射デバイス１に連結される。図示のように、デバイス２によって決定された情報は、表示ユニット２１を使用して表示することができる。図示の注射デバイス１の投与量窓１３は、補助デバイス２によって遮られることを理解されたい。
【００３５】
図４に表された実施形態は、３つの使用者入力ボタン（またはスイッチ）を有する。このような第１のボタン２２ａは、電源オン／オフボタンであり、これを作動させることで補助デバイス２をオンおよび／またはオフさせることができる。第２のボタン２２ｂは通信ボタンであり、これを作動させることで補助デバイス２に、コンピュータなどの他のデバイスと対にならせること、または他のデバイスとの接続を確立させることができる（例えばブルートゥースを使用して）。第３のボタン２２ｃは確認またはＯＫボタンであり、これを作動させることを用いて使用者の所望の選択を表示することができる。ボタン２２ａ、２２ｂ、２２ｃは、機械的スイッチ、電気変換器スイッチ、または電気機械スイッチの適切な任意の形状とすることができる。
【００３６】
図５は、別の実施形態による補助デバイス２の斜視図を示す。デバイスは、嵌合ユニット（図示せず）を介して注射デバイス１に連結される。デバイス２によって確認された情報は、表示ユニット２１を使用して表示することができる。図示の注射デバイス１の投与量窓１３は、補助デバイス２によって遮られることを理解されたい。
【００３７】
図５に表された実施形態は、使用者入力を受けるためのタッチセンサ式入力変換器３５を有する。デバイス２はまた、単一の使用者入力ボタン（またはスイッチ２２）を備える。ボタン２２を作動させることで補助デバイス２をオンおよび／またはオフさせることができる。タッチセンサ式入力変換器３５を操作することで他の動作をトリガすることができ、これには、デバイス２に他のデバイスと対にならせる、または他のデバイスとの接続を確立させること、補助デバイス２から別のデバイスへの情報の送信をトリガすること、および／または使用者の所望の選択など、あることを確認することがとりわけ含まれる。
【００３８】
図６は、図４に表された種類の補助デバイス２の内部概略図を、それが注射デバイス１に連結された状態で示す。
【００３９】
補助デバイス２のハウジング２０の中に、様々な構成要素が配置される。これらはプロセッサ２４によって制御され、このプロセッサは、例えば、マイクロプロセッサ、デジタル信号プロセッサ（ＤＳＰ）、特定用途向け集積回路（ＡＳＩＣ）、フィールドプログラマブルゲートアレイ（ＦＰＧＡ）などとすることができる。プロセッサ２４は、プログラムメモリ２４０に記憶されたプログラムコード（例えば、ソフトウェアまたはファームウェア）を実行すると共に、例えば中間結果を記憶するために、主メモリ２４１を使用する。主メモリ２４１はまた、実行された排出／注射のログブックを記憶するために使用することもできる。プログラムメモリ２４０は、例えば、読取り専用メモリ（ＲＯＭ）などの不揮発性メモリとすることができ、主メモリは、例えば、ランダムアクセスメモリ（ＲＡＭ）などの揮発性メモリとすることができる。実行された排出／注射のログブックは、別法として、プロセッサ２４に連結されたフラッシュメモリに記憶することができる。
【００４０】
前述の第１のボタン２２ａが作動するとき、プロセッサには、補助デバイス２がオンおよび／またはオフされることを示す信号を送ることができる。第２のボタン２２ｂ（通信ボタン）を作動させることにより、信号がプロセッサに送られて、プロセッサ２４に、補助デバイス２と別のデバイスの間の接続を確立させるか、または補助デバイス２から別のデバイスへの情報の送信を引トリガさせることができる。第３のボタン２２ｃは、確認またはＯＫボタンであり、これを作動させるとき、プロセッサ２４に、使用者の所望の選択または確認を表す信号を送ることができる。第３のボタン２２ｃを使用して、例えば表示ユニット２１上で、補助デバイス２の使用者向けに提供された情報に応答することができる。
【００４１】
図５に示されたもののような別の実施形態では、２つのボタン２２ｂ、２２ｃを省略することができる。代わりに、１つまたはそれ以上の容量センサまたは他のタッチセンサを設けることができる。
【００４２】
プロセッサ２４は、例えば液晶ディスプレイ（ＬＣＤ）とすることができる表示ユニット２１を制御するように構成される。表示ユニット２１を使用して、補助デバイス２の使用者に情報を表示することができる。このような情報の例には、注射デバイス１の現在の設定値、または与えられる予定の次の注射に関する情報、例えば次の注射が投与されるべき時までに残っている時間、が含まれ得る。表示ユニット２１は、使用者入力を受け、それをプロセッサ２４に転送するタッチスクリーン表示装置とすることができる。図５のタッチセンサ式変換器３５は、このようなタッチスクリーン表示装置の一部とすることができる。
【００４３】
補助デバイス２は、スリーブ１９に提供された情報を用量窓１３から読み取るための光センサ２５を備えることができる。このような情報は、スリーブ１９に置かれた数字または他の印を含むことができ、これらは、ダイヤル設定された、またはまだ投薬されるべき用量の分量を表す。光センサ２５は、現在選択されている用量が表示されている投与量窓１３の画像を取り込むことができる、光学式文字認識（ＯＣＲ）リーダとすることができる。ＯＣＲリーダ２５はさらに、取込画像からの文字（例えば数字）を認識し、この情報をプロセッサ２４に提供することもできる。
【００４４】
あるいは、光センサ２５は単に、画像を取り込み、このような画像に対応する情報をプロセッサ２４に提供するように構成することもできる。このような配置では、光センサ２５はカメラとすることができ、プロセッサ２４は、取込画像に対して前述のＯＣＲを実行するように構成することができる。
【００４５】
プロセッサ２４は、プロセッサ配置を構成する。上述のＯＣＲリーダ２５は、ダイヤル設定された薬剤の用量を検出するように動作可能な用量ダイヤル設定式検出器を構成する。ＯＣＲリーダ２５はまた、薬剤の用量が送達されたことを確認する用量送達確認器を構成することもできる。ＯＣＲリーダ２５とプロセッサ２４は一緒に、送達された（および／または、もしあれば、まだ送達されるべき）薬剤の分量を確認する分量確認器を構成することができる。プロセッサ２４は、現在時刻を決定するように構成された時計の機能を提供する。
【００４６】
電池３２は、プロセッサ２４、および補助デバイス２の一部を含む他の任意の構成要素に、電源３１によって電力を供給する。次に、他のこのような構成要素について説明する。他のこのような構成要素のすべてが必ずしも必須ではなく、当業者は１つまたはそれ以上のこのような構成要素を補助デバイスから省略することにし得ることを理解されたい。例えば、補助デバイス２は、測光器２６および／またはペン検出スイッチ３０を用いずに作ることができる（その両方について以下で説明される）。
【００４７】
補助デバイス２は、現在選択されている用量が表示されている投与量窓１３を照明するために、光源（例えば１つまたはそれ以上の発光ダイオード（ＬＥＤ）２９）を備えることができる。プロセッサ２４は、このような光源の動作を制御するように構成することができる。さらに、例えば一片のアクリルガラスから作られた拡散器を光源の前方に設けることができる。加えて、光センサ２５は、ある倍率（例えば、３：１より大きい倍率）になるレンズ（例えば非球面レンズ）を含むことができる。
【００４８】
補助デバイス２は、注射デバイス１のハウジング１０の光学特性（例えば、色または濃淡）を決定するための測光器２６を備えることができる。プロセッサ２４は、測光器２６からの信号を受けるように構成することができ、それによってプロセッサ２４は、前記光学特性の詳細を決定することが可能になる。光学特性は、ハウジング１０の特定の位置に存在し得る。例えば、色または色コーディングは、スリーブ１９上に、または注射デバイス１内に含まれるインスリン容器上に設けることができる。また、色または色コーディングは、ハウジング１０の（および／またはスリーブ１９の）別の窓から見えるようにすることもできる。この色に関連する情報は、注射デバイス１のタイプ、または注射デバイスの中に含まれるインスリンのタイプを決定するためにプロセッサ２４に提供することができる（例えば、紫色でＳｏｌｏＳｔａｒ（登録商標）Ｌａｎｔｕｓ（登録商標）、青色でＳｏｌｏＳｔａｒ（登録商標）Ａｐｉｄｒａ（登録商標））。
【００４９】
補助デバイス２は、注射デバイス１で生成される音を検出するための音響センサ２７を備えることができる。このような音響センサ２７は、前述の光センサ２５の代わりに、またはそれと一緒に使用することができる。プロセッサ２４は、このような音響センサ２７からの信号を制御および／または受信するように構成することができる。音は、例えば、投与量つまみ１２を回すことによって用量がダイヤル設定されるとき、および／または注射ボタン１１を押すことによって用量が排出／注射されるとき、および／または最初の注射が行われるときに発生し得る。これらの動作は機械的に類似しているが、それでもなお、これらがそれぞれ行われるときに異なる音を出す（これらの動作が行われることを示す、例えば音響信号発生器２３で生成される電子音でもそうであり得る）。音響センサ２７および／またはプロセッサ２４は、（最初の注射が行われたことだけではなく）注射が行われたことを安全に認識するために、これらの異なる音を区別するように構成することができる。
【００５０】
補助デバイス２は、他のデバイスとの間で情報を無線で送信および／または受信するようにプロセッサ２４が制御できる、無線ユニット２８を備えることができる。このような送信／受信は、例えば、無線伝送または光伝送に基づくことができる。具体的には、無線ユニット２８はブルートゥーストランシーバとすることができる。別法として、無線ユニット２８は、（ケーブルまたはファイバ接続を介するなどの）有線結合で他のデバイスとの間で情報を送信および／または受信するように構成されている有線ユニットによって置き換える、または補完することができる。データが送信されるとき、転送されるデータ（値）の単位は、明示的または暗黙的に定義することができる。例えば、インスリン用量の場合、常に国際単位（ＩＵ）を使用することができ、または別に、使用される単位を明示的に、例えばコード化された形で転送することができる。
【００５１】
最後に、補助デバイス２は、ペン検出スイッチ３０を備えることができる。このようなスイッチ３０は、ペン１が存在するかどうかを検出するように（すなわち補助デバイス２が注射デバイス１に連結されているかどうかを検出するように）動作可能であり得る。ペン１が検出されると（すなわち、補助デバイス２が注射デバイス１に連結されているとして検出されると）、ペン検出スイッチ３０は、信号をプロセッサ２４へ出力することができる。
【００５２】
図４に表された補助デバイス２は、注射デバイス１の状態および／または使用に関連する情報を確認することができる。このような情報は、実行された排出／注射についての前述のログブックに含まれることに人間の操作者（使用者および／または医師）が関心を持つであろう情報を含み得る。しかし、別の補助デバイス２は、表示ユニット２１を備えず、注射デバイス１の状態および／または使用に関連する情報が表示されることなく記憶されるように構成することができる。このような補助デバイス２の１つの例が、注射デバイス１の後部に嵌合することができる電子モジュール３３の形で、図７に示されている。
【００５３】
上記を考慮して、補助デバイス２は、注射デバイス１の状態および／または使用に関連する情報を確認するための１つまたは様々なタイプのセンサを備えることができることを理解されたい。さらに、補助デバイス２は、確認されたこのような情報を記憶空間（例えば、主メモリ２４１または着脱可能メモリカード）に保存させるように構成することができることを理解されたい。具体的には、この情報は、特定の使用者の用量履歴の詳細を含む、ログブックに記入される事項を含むことができる。
【００５４】
以下で説明される本発明の態様は、図面に表された補助デバイス２に限定されず、任意の種類の注射デバイスで使用するための補助デバイスと、注射デバイスの１つまたはそれ以上の状態および／または使用に関連する情報を検出するためのセンサの任意の組合せを備えた補助デバイスとに同様に適用される。
【００５５】
補助デバイス２は、このようなデバイスのプロセッサ２４を有効にして：ｉ）注射デバイスから送達されるインスリン用量のサイズ；ｉｉ）このような用量が送達された日付および／または時刻；および／またはｉｉｉ）使用者の血液の最新のＢＧＭ（血糖測定）読取値、を確認するセンサを備えることができる。これらのパラメータに関連する情報は、もっと後またはもっと前の時間に確認された同様の情報と共に、補助デバイスに設置された記憶空間（主メモリ２４１または着脱可能メモリカードなど）に保存することができる。この情報は、補助デバイスが連結されている注射デバイスを使用する人の用量履歴を一括して提供する。
【００５６】
それぞれ別々の用量に関する情報は、メーカ独自のソフトウェアによってのみ読取り可能な形式で上述の記憶空間に保存することができる。メーカ独自のこのようなソフトウェアは、補助デバイスで、または遠隔に設置されたコンピュータで利用して、用量履歴情報を表示および／または解析することができる。しかし、加えて（または代わりに）、それぞれ別々の用量に関する情報は、画像形式で記憶空間に保存することもできる。このような画像形式は、不可逆の種類でも可逆の種類でもよい。使用できる画像形式の具体的な例には、とりわけ、ラスタ形式、ベクトル形式、複合形式、およびステレオ形式が含まれる。プロセッサは、用量に関連する生情報を取得し、それをテンプレートに適用し、完成したテンプレートを画像ファイルに変換することによって、画像形式への変換を実現することができる。より明確には、それぞれ別々の用量に関する情報は、ＪＰＥＧ形式またはＢＭＰ形式で記憶空間に保存することができる。
【００５７】
それぞれ別々の用量に関する情報をＪＰＥＧ形式（ジョイントフォトグラフィックエキスパートグループフォーマット）で保存することは、ＪＰＥＧ形式が多くの一般に利用可能な電子デバイスによって読取り可能であるので有利である。こうすることは、補助デバイスがそれ自体では用量履歴情報を表示できず（または、全部の用量履歴情報ではなく一部しか表示できず）、そのため、この情報がコンピュータなどの付加電子デバイスに表示される必要がある場合には、特に有用である。図８は、用量情報を表すＪＰＥＧ画像の例を示す。
【００５８】
当業者には、ある画像形式で記憶された用量履歴情報を、画像を表示できる別の電子デバイスに転送できる多くの方法があることを理解されよう。例えば、補助デバイスは、図６に関連して説明された種類の無線ユニット２８を有することができる。このような無線ユニット２８を使用して、用量情報を表す画像に関連するデータを遠隔のデバイスに無線で転送することができる。あるいは、補助デバイスは、用量情報を表す画像に関連するデータを遠隔のデバイスに、ケーブルまたはファイバ接続を介して転送することもできる。このような各デバイスは、例えばＵＳＢインタフェースを介して連結することができる。さらに、用量情報を表す画像が保存される記憶空間を着脱可能とし、画像を表示できる遠隔のデバイスに連結することもできる。このような着脱可能記憶空間は、例えば、ＳＤカード、ＸＤカードまたはＵＳＢメモリスティックを含むことができ、補助デバイスに設けられた相補的インタフェースと協働する（またはそこで受けられる）ことができる。
【００５９】
着脱可能記憶空間は、補助デバイスから取り外すことができない一次（または主）記憶デバイスに加えて、二次記憶デバイスとして機能することができる。このような一次と二次の記憶デバイスの間で情報をコピーすることができる。補助デバイスは、操作したときにプロセッサに一次（着脱不可）と二次（着脱可能）の記憶デバイスの間で情報をコピーさせる、１つまたはそれ以上のユーザインタフェース機能を有することができる。例えば、補助デバイスが表示ユニット２１を備えている場合、使用者が一次記憶デバイスから二次記憶デバイスへ、またはその逆に情報をコピーしたいかどうかを示すように使用者に求めるメニュー機能を表示することができる。このようなメニュー機能は、二次記憶デバイスを補助デバイスに連結したときに表示させることができる。使用者は、ボタン２２、またはタッチセンサ式パッドもしくは変換器３５などの、使用者入力を受けるための１つまたはそれ以上の変換器の特定の組合せを短く、かつ／または長く押すことによって、肯定的または否定的選択を示すことができる。表示ユニット２１を備えていない補助デバイスの場合（また備えている場合でも）、使用者は、使用者入力を受けるための１つまたはそれ以上の変換器（前記のように、このような変換器にはボタン２２、またはタッチセンサ式パッドもしくは変換器３５が含まれ得る）の特定の組合せを短く、かつ／または長く押すことによって、一次と二次の記憶デバイスの間で情報をコピーしたいかどうかを任意の特定の時間に示すことができる。
【００６０】
用量情報を表す画像がメモリカードに記憶されている場合、このような画像は、メモリカードを読み取ってそこに記憶されたファイルを見ることができる任意のデバイス上で表示することができる。メモリカードを読み取ることができるデバイスのいくつかの具体的な例には、デジタルカメラ、コンピュータ、携帯電話、テレビ受信機、および電子写真フレームが含まれる。有利には、メモリカードがこのような電子デバイスに挿入された場合、用量情報を表す画像を含むファイルは、日付および時刻の順に自動的に表示される。これにより、特定の用量に関する情報を迅速かつ簡単に探すことが可能になる。図９は、コンピュータ上で日付および時刻の順に表示されている複数のこのような画像ファイルを示す。
【００６１】
本発明の別の態様によれば、用量情報を画像形式で記憶できる補助デバイスの機能は、注射デバイスによって実施することができる。例えば、前に説明された補助デバイスのものに対応する特徴は、注射デバイスの一体化部分であり得る。具体的な一例では、光センサ２５の代わりに音響センサ２７を有する補助デバイスのものに対応する特徴は、注射デバイスの一体化部分であり得る。このような注射デバイスは、用量情報を画像形式（例えばＪＰＥＧ形式）で前述のようにして記憶することができる。用量情報を画像形式で記憶できる注射デバイスは、注射デバイスの１つまたはそれ以上の状態および／または使用に関する情報を検出するための任意の組合せのセンサを備えることができることに留意されたい。
【００６２】
上述の諸実施形態は純粋に説明的なものであり、本発明の範囲を限定するものではないことを理解されたい。本明細書を読めば、当業者には他の変形形態および改変形態が明らかになろう。例えば、任意の種類の情報を、特定の用量に関連した情報を表す画像中に表示することができる。具体的には、デバイスセンサから取り出された情報に加えて、特定の用量が投与される時刻において適切な他の情報が画像に含まれ得る。用量情報を表す画像（図８のものなど）に含まれ得る付加的な情報の例には、用量が投与された患者の名前および／またはその患者の他の詳細、注射デバイスを使用する患者の担当医師の名前、送達されるインスリン（または他の薬剤）のタイプ、使用された注射デバイスのタイプ、投与予定の用量の推奨分量、および送達された用量の実際の分量が含まれ得る。
【００６３】
最後に、１つまたはそれ以上のセンサで検出された画像形式の情報の記憶に関する本明細書で説明された機能は、インスリンを注射するのに使用されるものだけでなく、任意の種類の薬剤を注射するように構成された注射デバイスに適用されることを理解されたい。さらに、本出願の開示は、本明細書に明示的または暗黙的に開示されたあらゆる新規の特徴、またはあらゆる新規の特徴の組合せ、またはこれらのあらゆる一般化を含むと理解されるべきであり、また本出願、またはそれから派生したあらゆる出願の実行中に新しい特許請求の範囲が、そのような特徴、および／またはそのような特徴の組合せを包含するために明示され得る。
【図１】
0006366607.tif 000002
【図２】
0006366607.tif 000003
【図３】
0006366607.tif 000004
【図４】
0006366607.tif 000005
【図５】
0006366607.tif 000006
【図６】
0006366607.tif 000007
【図７】
0006366607.tif 000008
【図８】
0006366607.tif 000009
【図９】
0006366607.tif 000010